(57)【特許請求の範囲】
【請求項１】
ユーザ機器（ＵＥ）によるワイヤレス通信のための方法であって、
物理アップリンク共有チャネル（ＰＵＳＣＨ）上で基地局にハイブリッド自動再送要求（ＨＡＲＱ）送信を送ることと、
前記ＨＡＲＱ送信が再送信されるべきでないことを示す第１のメッセージを受信することと、
前記ＵＥがメッセージを復号しようと試みない低電力状態に入ることと、
前記ＨＡＲＱ送信が再送信されるべきであるか否かを示す少なくとも第２のメッセージのスケジュールされた送信時間の間、前記低電力状態を維持することとを備える、方法。
【請求項２】
前記ＨＡＲＱ送信が再送信されるべきであるか否かを示す第３のメッセージを復号するために前記低電力状態を出ることをさらに備える、請求項１に記載の方法。
【請求項３】
第３のメッセージを復号するために前記低電力状態を出ることが、前記ＰＵＳＣＨ上での前記基地局への前記ＵＥによる次の送信中に第３のメッセージを復号するために前記低電力状態を出ることを含む、請求項２に記載の方法。
【請求項４】
出ることより前に、前記ＨＡＲＱ送信が再送信されるべきであるか否かを示す整数ｎ個のメッセージを復号しようと試みることなしに、前記低電力状態が維持される、請求項２に記載の方法。
【請求項５】
前記整数ｎの指示を受信することをさらに備える、請求項４に記載の方法。
【請求項６】
前記整数ｎが、前記ＨＡＲＱ送信中で送信されるデータのタイプに依存する、請求項４に記載の方法。
【請求項７】
前記ＨＡＲＱ送信が正常に受信されなかった場合でも、前記第１のメッセージが、前記ＨＡＲＱ送信の再送信を中断するために送信された中断肯定応答メッセージに対応するという指示を受信することをさらに備える、請求項１に記載の方法。
【請求項８】
前記低電力状態が維持される持続時間は、ＨＡＲＱ送信が再送信されるべきでないことを示すメッセージが正常に受信されたＨＡＲＱ送信にどのくらいの頻度で対応しないかに依存する、請求項１に記載の方法。
【請求項９】
ＨＡＲＱ送信が再送信されるべきでないことを示すメッセージの後に、前記ＨＡＲＱ送信が再送信されるべきであることを示す後続のメッセージが続く場合、そのようなメッセージが、正常に受信されたＨＡＲＱ送信に対応しないと決定することをさらに備える、請求項８に記載の方法。
【請求項１０】
前記ＨＡＲＱ送信が再送信されるべきであるか否かを示す少なくとも第２のメッセージのスケジュールされた送信時間の間、前記低電力状態を維持することが、１５ｍｓの間前記低電力状態を維持することを含む、請求項１に記載の方法。
【請求項１１】
前記送信が低デューティサイクルトラフィックアプリケーションを含む、請求項１に記載の方法。
【請求項１２】
前記ＨＡＲＱ送信が再送信されるべきであるか否かを示す少なくとも第２のメッセージのスケジュールされた送信時間の間、前記低電力状態を維持することが、前記ＨＡＲＱ送信が再送信されるべきであるか否かを示すメッセージのすべてのスケジュールされた送信時間の間、前記低電力状態を維持することを含む、請求項１に記載の方法。
【請求項１３】
ユーザ機器（ＵＥ）によるワイヤレス通信のための装置であって、
物理アップリンク共有チャネル（ＰＵＳＣＨ）上で基地局にハイブリッド自動再送要求（ＨＡＲＱ）送信を送るための手段と、
前記ＨＡＲＱ送信が再送信されるべきでないことを示す第１のメッセージを受信するための手段と、
前記ＵＥがメッセージを復号しようと試みない低電力状態に入るための手段と、
前記ＨＡＲＱ送信が再送信されるべきであるか否かを示す少なくとも第２のメッセージのスケジュールされた送信時間の間、前記低電力状態を維持するための手段とを備える、装置。
【請求項１４】
前記ＨＡＲＱ送信が再送信されるべきであるか否かを示す第３のメッセージを復号するために前記低電力状態を出るための手段をさらに備える、請求項１３に記載の装置。
【請求項１５】
第３のメッセージを復号するために前記低電力状態を出るための前記手段が、前記ＰＵＳＣＨ上での前記基地局への前記ＵＥによる次の送信中に第３のメッセージを復号するために前記低電力状態を出るための手段を含む、請求項１４に記載の装置。
【請求項１６】
出ることより前に、前記ＨＡＲＱ送信が再送信されるべきであるか否かを示す整数ｎ個のメッセージを復号しようと試みることなしに、前記低電力状態が維持される、請求項１４に記載の装置。
【請求項１７】
前記整数ｎの指示を受信するための手段をさらに備える、請求項１６に記載の装置。
【請求項１８】
前記整数ｎが、前記ＨＡＲＱ送信中で送信されるデータのタイプに依存する、請求項１６に記載の装置。
【請求項１９】
前記ＨＡＲＱ送信が正常に受信されなかった場合でも、前記第１のメッセージが、前記ＨＡＲＱ送信の再送信を中断するために送信された中断肯定応答メッセージに対応するという指示を受信するための手段をさらに備える、請求項１３に記載の装置。
【請求項２０】
前記低電力状態が維持される持続時間は、ＨＡＲＱ送信が再送信されるべきでないことを示すメッセージが、正常に受信されたＨＡＲＱ送信にどのくらいの頻度で対応しないかに依存する、請求項１３に記載の装置。
【請求項２１】
ＨＡＲＱ送信が再送信されるべきでないことを示すメッセージの後に、前記ＨＡＲＱ送信が再送信されるべきであることを示す後続のメッセージが続く場合、そのようなメッセージが、正常に受信されたＨＡＲＱ送信に対応しないと決定するための手段をさらに備える、請求項２０に記載の装置。
【請求項２２】
前記ＨＡＲＱ送信が再送信されるべきであるか否かを示す少なくとも第２のメッセージのスケジュールされた送信時間の間、前記低電力状態を維持するための前記手段が、１５ｍｓの間前記低電力状態を維持するための手段を含む、請求項１３に記載の装置。
【請求項２３】
前記送信が低デューティサイクルトラフィックアプリケーションを含む、請求項１３に記載の装置。
【請求項２４】
前記ＨＡＲＱ送信が再送信されるべきであるか否かを示す少なくとも第２のメッセージのスケジュールされた送信時間の間、前記低電力状態を維持するための前記手段が、前記ＨＡＲＱ送信が再送信されるべきであるか否かを示すメッセージのすべてのスケジュールされた送信時間の間、前記低電力状態を維持するための手段を含む、請求項１３に記載の装置。
【請求項２５】
ユーザ機器（ＵＥ）によるワイヤレス通信のための装置であって、
物理アップリンク共有チャネル（ＰＵＳＣＨ）上で基地局にハイブリッド自動再送要求（ＨＡＲＱ）送信を送ることと、前記ＨＡＲＱ送信が再送信されるべきでないことを示す第１のメッセージを受信することと、前記ＵＥがメッセージを復号しようと試みない低電力状態に入ることと、前記ＨＡＲＱ送信が再送信されるべきであるか否かを示す少なくとも第２のメッセージのスケジュールされた送信時間の間、前記低電力状態を維持することとを行うように構成された少なくとも１つのプロセッサと、
前記少なくとも１つのプロセッサに結合されたメモリとを備える、装置。
【請求項２６】
前記少なくとも１つのプロセッサが、
出ることより前に、前記ＨＡＲＱ送信が再送信されるべきであるか否かを示す整数ｎ個のメッセージを復号しようと試みることなしに、前記低電力状態を維持するようにさらに構成された、請求項２５に記載の装置。
【請求項２７】
前記少なくとも１つのプロセッサは、前記ＨＡＲＱ送信が再送信されるべきであるか否かを示すメッセージのすべてのスケジュールされた送信時間の間、前記低電力状態を維持するようにさらに構成された、請求項２５に記載の装置。
【請求項２８】
物理アップリンク共有チャネル（ＰＵＳＣＨ）上で基地局にハイブリッド自動再送要求（ＨＡＲＱ）送信を送ることと、
前記ＨＡＲＱ送信が再送信されるべきでないことを示す第１のメッセージを受信することと、
前記ＵＥがメッセージを復号しようと試みない低電力状態に入ることと、
前記ＨＡＲＱ送信が再送信されるべきであるか否かを示す少なくとも第２のメッセージのスケジュールされた送信時間の間、前記低電力状態を維持することとを行うための、１つまたは複数のプロセッサによって実行可能な命令を記憶したコンピュータ可読記憶媒体。
【請求項２９】
前記ＨＡＲＱ送信が再送信されるべきであるか否かを示す整数ｎ個のメッセージを復号しようと試みることなしに、出ることより前に、前記低電力状態を維持するための、１つまたは複数のプロセッサによって実行可能な命令をさらに備える、請求項２８に記載のコンピュータ可読記憶媒体。
【請求項３０】
前記ＨＡＲＱ送信が再送信されるべきであるか否かを示すメッセージのすべてのスケジュールされた送信時間の間、前記低電力状態を維持するための、１つまたは複数のプロセッサによって実行可能な命令をさらに備える、請求項２８に記載のコンピュータ可読記憶媒体。
【発明の詳細な説明】
【米国特許法第１１９条による優先権の主張】
【０００１】
本特許出願は、本出願の譲受人に譲渡され、参照により本明細書に明確に組み込まれる、２０１１年９月１４日に出願された米国仮特許出願第６１／５３４，８０９号の利益を主張する。
【技術分野】
【０００２】
本開示のいくつかの実施形態は、一般にワイヤレス通信に関し、より詳細には、電力消費量を低減するための方法および装置に関する。
【背景技術】
【０００３】
ワイヤレス通信ネットワークは、ボイス、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
ワイヤレス通信ネットワークは、いくつかのユーザ機器（ＵＥ：user equipment）のための通信をサポートすることができるいくつかの基地局を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
ＵＥは、アップリンク送信が基地局によって正常に受信されたという肯定応答（ＡＣＫ）をＵＥが受信するまで、アップリンク送信を再送するように構成され得る。場合によっては、ＵＥは、ＡＣＫを受信した後でも、依然として、制御チャネル（たとえば、ＰＨＩＣＨまたはＰＤＣＣＨ）を復号し続けることが予想され得る。これは、基地局が、ＵＬ送信を正常に受信しなかった場合でも、たとえば、その瞬間により高い優先度であり得る送信のためのリソースを許可するために、再送信を中断するためにＡＣＫを使用し得るからである。制御チャネルの継続的復号がない場合、再送信のための後続の許可が検出されないことになり、したがって、再送信がないことになり、その結果、パケットドロップ（packet drop）が生じることになる。さらに、この手法は、否定応答（ＮＡＣＫ）が送信されたが、どういうわけかＡＣＫとして解釈された場合に最終的な再送信を可能にする。
【０００６】
残念ながら、肯定応答チャネルの継続的復号は、ＵＥが低電力状態にとどまる時間量を制限し得、これは、不要な電力消費につながり得る。
【発明の概要】
【０００７】
本開示の一態様では、ユーザ機器（ＵＥ）によるワイヤレス通信のための方法が提供される。本方法は、概して、物理アップリンク共有チャネル（ＰＵＳＣＨ）上で基地局にハイブリッド自動再送要求（ＨＡＲＱ）送信を送ることと、ＨＡＲＱ送信が再送信されるべきでないことを示す第１のメッセージを受信することと、ＵＥがメッセージを復号しようと試みない低電力状態に入ることと、ＨＡＲＱ送信が再送信されるべきであるか否かを示す少なくとも第２のメッセージのスケジュールされた送信時間の間、低電力状態を維持することとを含む。
【０００８】
本開示の一態様では、ＵＥによるワイヤレス通信のための装置が提供される。本装置は、概して、物理アップリンク共有チャネル（ＰＵＳＣＨ）上で基地局にハイブリッド自動再送要求（ＨＡＲＱ）送信を送るための手段と、ＨＡＲＱ送信が再送信されるべきでないことを示す第１のメッセージを受信するための手段と、ＵＥがメッセージを復号しようと試みない低電力状態に入るための手段と、ＨＡＲＱ送信が再送信されるべきであるか否かを示す少なくとも第２のメッセージのスケジュールされた送信時間の間、低電力状態を維持するための手段とを含む。
【０００９】
本開示の一態様では、ＵＥによるワイヤレス通信のための装置が提供される。本装置は、概して、少なくとも１つのプロセッサと、その少なくとも１つのプロセッサに結合されたメモリとを含む。少なくとも１つのプロセッサは、概して、物理アップリンク共有チャネル（ＰＵＳＣＨ）上で基地局にハイブリッド自動再送要求（ＨＡＲＱ）送信を送ることと、ＨＡＲＱ送信が再送信されるべきでないことを示す第１のメッセージを受信することと、ＵＥがメッセージを復号しようと試みない低電力状態に入ることと、ＨＡＲＱ送信が再送信されるべきであるか否かを示す少なくとも第２のメッセージのスケジュールされた送信時間の間、低電力状態を維持することとを行うように構成される。
【００１０】
本開示の一態様では、命令を記憶したコンピュータ可読媒体を備える、ＵＥによるワイヤレス通信のためのコンピュータプログラム製品が提供される。これらの命令は、概して、物理アップリンク共有チャネル（ＰＵＳＣＨ）上で基地局にハイブリッド自動再送要求（ＨＡＲＱ）送信を送ることと、ＨＡＲＱ送信が再送信されるべきでないことを示す第１のメッセージを受信することと、ＵＥがメッセージを復号しようと試みない低電力状態に入ることと、ＨＡＲＱ送信が再送信されるべきであるか否かを示す少なくとも第２のメッセージのスケジュールされた送信時間の間、低電力状態を維持することとを行うために、１つまたは複数のプロセッサによって実行可能である。
【図面の簡単な説明】
【００１１】
【図１】本開示のいくつかの態様による、ワイヤレス通信ネットワークの一例を概念的に示すブロック図。
【図２】本開示のいくつかの態様による、ワイヤレス通信ネットワーク中のユーザ機器デバイス（ＵＥ）と通信しているノードＢの一例を概念的に示すブロック図。
【図３】本開示のいくつかの態様による、ワイヤレス通信ネットワークにおけるフレーム構造の一例を概念的に示すブロック図。
【図４】メッセージの例示的な交換を示す図。
【図５】本開示の態様による、メッセージの例示的な交換を示す図。
【図６】本開示の態様による、メッセージの例示的な交換を示す図。
【図７】本開示のいくつかの態様による、動作を実行することが可能な、ノードＢとＵＥとをもつ例示的なシステムを示す図。
【図８】本開示のいくつかの態様による、例示的な動作を示す図。
【詳細な説明】
【００１２】
上記で説明したように、いくつかのシナリオでは、基地局がＵＬ送信を正常に受信したという肯定応答（ＡＣＫ）をＵＥが受信した後でも、ＵＥは、肯定応答チャネルを復号し続けることが予想され得る。この継続的復号は、様々な理由で望ましいことがある。たとえば、この継続的復号により、（たとえば、送信中のＮＡＣＫ−ＡＣＫ変換（NACK to ACK conversion）により）肯定ＡＣＫが実際には誤って受信された場合、ＵＥが後続のＮＡＣＫを検出することが可能になり、ＵＥが再送信することが可能になり、パケットロスが回避され得る。別の例として、継続的復号により、基地局がＵＬ送信を正常に受信しなかった場合でも、再送信を中断するためのＡＣＫの使用が可能になり得る。
【００１３】
残念ながら、肯定応答チャネルのそのような継続的復号は、ＵＥが低電力状態にとどまる時間量を実質的に制限し得る。言い換えれば、ＵＥは、肯定応答チャネルを復号するために低電力状態を早期に出る必要があり、電力消費量の増加につながる。
【００１４】
しかしながら、本開示のいくつかの態様は、ＵＥが低電力状態にとどまる時間量を増加させるための技法を提供する。以下でより詳細に説明するように、ＵＥは、ＡＣＫを受信した後に、低電力状態にとどまり、送信時間（たとえば、１つまたは複数の送信時間間隔（ＴＴＩ（transmission time interval）））の間、肯定応答チャネルを無視し得る（たとえば、復号しようと試みないことがある）。１つまたは複数のＴＴＩの間、ＡＣＫチャネルを無視した後に、ＵＥは、その後、低電力状態を出て、パケットを再送信し、パケットロスを回避するために、適時にＡＣＫチャネルをさらに復号し得る。
【００１５】
本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、広帯域ＣＤＭＡ（ＷＣＤＭＡ）（登録商標）、時分割同期ＣＤＭＡ（ＴＤ−ＳＣＤＭＡ）、およびＣＤＭＡの他の変形態を含む。ｃｄｍａ２０００は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）などの無線技術を実装し得る。ＯＦＤＭＡネットワークは、発展型ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。周波数分割複信（ＦＤＤ）と時分割複信（ＴＤＤ）の両方における３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、ダウンリンク上ではＯＦＤＭＡを利用し、アップリンク上ではＳＣ−ＦＤＭＡを利用するＥ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。本明細書で説明する技法は、上記のワイヤレスネットワークおよび無線技術、ならびに他のワイヤレスネットワークおよび無線技術に使用され得る。明快のために、本技法のいくつかの態様について以下ではＬＴＥに関して説明し、以下の説明の大部分でＬＴＥ用語を使用する。
【００１６】
図１に、リソース区分情報を利用する基準信号処理を実行するために説明するプロシージャが実行され得るワイヤレス通信ネットワーク１００を示す。ネットワーク１００は、ＬＴＥネットワークまたは何らかの他のワイヤレスネットワークであり得る。ワイヤレスネットワーク１００は、いくつかの発展型ノードＢ（ｅＮＢ）１１０と他のネットワークエンティティとを含み得る。ｅＮＢは、ＵＥと通信するエンティティであり、基地局、ノードＢ、アクセスポイントなどと呼ばれることもある。各ｅＮＢは、特定の地理的エリアに通信カバレージを与え得る。３ＧＰＰでは、「セル」という用語は、この用語が使用されるコンテキストに応じて、ｅＮＢのカバレージエリアおよび／またはこのカバレージエリアをサービスしているｅＮＢサブシステムを指すことがある。
【００１７】
ｅＮＢは、マクロセル、ピコセル、フェムトセル、および／または他のタイプのセルに通信カバレージを与え得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ：Closed Subscriber Group）中のＵＥ）による制限付きアクセスを可能にし得る。マクロセルのためのｅＮＢはマクロｅＮＢと呼ばれることがある。ピコセルのためのｅＮＢはピコｅＮＢと呼ばれることがある。フェムトセルのためのｅＮＢはフェムトｅＮＢまたはホームｅＮＢ（ＨｅＮＢ）と呼ばれることがある。図１に示す例では、ｅＮＢ１１０ａがマクロセル１２０ａのためのマクロｅＮＢであり得、ｅＮＢ１１０ｂがピコセル１２０ｂのためのピコｅＮＢであり得、ｅＮＢ１１０ｃがフェムトセル１２０ｃのためのフェムトｅＮＢであり得る。ｅＮＢは、１つまたは複数の（たとえば、３つの）セルをサポートし得る。「ｅＮＢ」、「基地局」および「セル」という用語は、本明細書では互換的に使用され得る。
【００１８】
ワイヤレスネットワーク１００はまた、中継局を含み得る。中継局は、上流局（たとえば、ｅＮＢまたはＵＥ）からデータの送信を受信し、そのデータの送信を下流局（たとえば、ＵＥまたはｅＮＢ）に送ることができるエンティティである。中継局はまた、他のＵＥに対する送信を中継することができるＵＥであり得る。図１に示す例では、中継局１１０ｄは、ｅＮＢ１１０ａとＵＥ１２０ｄとの間の通信を可能にするために、マクロｅＮＢ１１０ａおよびＵＥ１２０ｄと通信し得る。中継局はまた、リレーｅＮＢ、リレー基地局、リレーなどと呼ばれることもある。
【００１９】
ワイヤレスネットワーク１００は、様々なタイプのｅＮＢ、たとえば、マクロｅＮＢ、ピコｅＮＢ、フェムトｅＮＢ、リレーｅＮＢなどを含む異種ネットワークであり得る。これらの様々なタイプのｅＮＢは、様々な送信パワーレベル、様々なカバレージエリア、およびワイヤレスネットワーク１００中の干渉に対する様々な影響を有し得る。たとえば、マクロｅＮＢは、高い送信電力レベル（たとえば、５〜４０ワット）を有し得るが、ピコｅＮＢ、フェムトｅＮＢ、およびリレーｅＮＢは、より低い送信電力レベル（たとえば、０．１〜２ワット）を有し得る。
【００２０】
ネットワークコントローラ１３０は、ｅＮＢのセットに結合し得、これらのｅＮＢの協調および制御を行い得る。ネットワークコントローラ１３０はバックホールを介してｅＮＢと通信し得る。ｅＮＢはまた、たとえば、ワイヤレスバックホールまたはワイヤラインバックホールを介して直接または間接的に互いに通信し得る。
【００２１】
ＵＥ１２０はワイヤレスネットワーク１００全体にわたって分散していることがあり、各ＵＥは固定または移動であり得る。ＵＥは、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、スマートフォン、ネットブック、スマートブックなどであり得る。
【００２２】
図２に、図１の基地局／ｅＮＢの１つであり得る基地局／ｅＮＢ１１０および図１のＵＥの１つであり得るＵＥ１２０の設計のブロック図を示す。基地局１１０はＴ個のアンテナ２３４ａ〜２３４ｔを装備し得、ＵＥ１２０はＲ個のアンテナ２５２ａ〜２５２ｒを装備し得、一般にＴ≧１およびＲ≧１である。
【００２３】
基地局１１０において、送信プロセッサ２２０が、１つまたは複数のＵＥについてデータソース２１２からデータを受信し、ＵＥから受信されたチャネル品質インジケータ（ＣＱＩ：channel quality indicator）に基づいて各ＵＥのための１つまたは複数の変調およびコーディング方式（ＭＣＳ：modulation and coding scheme）を選択し、そのＵＥのために選択された（１つまたは複数の）ＭＣＳに基づいて各ＵＥのためのデータを処理（たとえば、符号化および変調）し、すべてのＵＥについてデータシンボルを与え得る。送信プロセッサ２２０はまた、（たとえば、静的リソース区分情報（ＳＲＰＩ：static resource partitioning information）などのための）システム情報および制御情報（たとえば、ＣＱＩ要求、許可、上位レイヤシグナリングなど）を処理し、オーバーヘッドシンボルおよび制御シンボルを与え得る。プロセッサ２２０はまた、基準信号（たとえば、セル固有基準信号（ＣＲＳ：cell-specific reference signal））および同期信号（たとえば、１次同期信号（ＰＳＳ：primary synchronization signal）および２次同期信号（ＳＳＳ：secondary synchronization signal））のための基準シンボルを生成し得る。送信（ＴＸ）多入力多出力（ＭＩＭＯ：multiple-input multiple-output）プロセッサ２３０は、適用可能な場合、データシンボル、制御シンボル、オーバーヘッドシンボル、および／または基準シンボルに対して空間処理（たとえば、プリコーディング）を実行し得、Ｔ個の出力シンボルストリームをＴ個の変調器（ＭＯＤ：modulator）２３２ａ〜２３２ｔに与え得る。各変調器２３２は、（たとえば、ＯＦＤＭなどのための）それぞれの出力シンボルストリームを処理して、出力サンプルストリームを取得し得る。各変調器２３２はさらに、出力サンプルストリームを処理（たとえば、アナログ変換、増幅、フィルタ処理、およびアップコンバート）して、ダウンリンク信号を取得し得る。変調器２３２ａ〜２３２ｔからのＴ個のダウンリンク信号は、それぞれＴ個のアンテナ２３４ａ〜２３４ｔを介して送信され得る。
【００２４】
ＵＥ１２０において、アンテナ２５２ａ〜２５２ｒが、基地局１１０および／または他の基地局からダウンリンク信号を受信し得、受信信号をそれぞれ復調器（ＤＥＭＯＤ）２５４ａ〜２５４ｒに与え得る。各復調器２５４は、それの受信信号を調整（たとえば、フィルタ処理、増幅、ダウンコンバート、およびデジタル化）して、入力サンプルを取得し得る。各復調器２５４はさらに、（たとえば、ＯＦＤＭなどのための）入力サンプルを処理して、受信シンボルを取得し得る。ＭＩＭＯ検出器２５６は、すべてのＲ個の復調器２５４ａ〜２５４ｒから受信シンボルを取得し、適用可能な場合、受信シンボルに対してＭＩＭＯ検出を実行し、検出されたシンボルを与え得る。受信プロセッサ２５８は、検出されたシンボルを処理（たとえば、復調および復号）し、ＵＥ１２０のための復号されたデータをデータシンク２６０に与え、復号された制御信号およびシステム情報をコントローラ／プロセッサ２８０に与え得る。チャネルプロセッサ２８４は、以下で説明するように、基準信号受信電力（ＲＳＲＰ：reference signal received power）、受信信号強度インジケータ（ＲＳＳＩ：received signal strength indicator）、基準信号受信品質（ＲＳＲＱ：reference signal received quality）、ＣＱＩなどを決定し得る。
【００２５】
アップリンク上では、ＵＥ１２０において、送信プロセッサ２６４が、データソース２６２からのデータと、コントローラ／プロセッサ２８０からの（たとえば、ＲＳＲＰ、ＲＳＳＩ、ＲＳＲＱ、ＣＱＩなどを備えるレポートのための）制御情報とを受信し、処理し得る。プロセッサ２６４はまた、１つまたは複数の基準信号のための基準シンボルを生成し得る。送信プロセッサ２６４からのシンボルは、適用可能な場合はＴＸ  ＭＩＭＯプロセッサ２６６によってプリコーディングされ、（たとえば、ＳＣ−ＦＤＭ、ＯＦＤＭなどのために）変調器２５４ａ〜２５４ｒによってさらに処理され、基地局１１０に送信され得る。基地局１１０において、ＵＥ１２０および他のＵＥからのアップリンク信号は、アンテナ２３４によって受信され、復調器２３２によって処理され、適用可能な場合はＭＩＭＯ検出器２３６によって検出され、ＵＥ１２０によって送られた、復号されたデータおよび制御情報を取得するために、受信プロセッサ２３８によってさらに処理され得る。プロセッサ２３８は、復号されたデータをデータシンク２３９に与え、復号された制御情報をコントローラ／プロセッサ２４０に与え得る。
【００２６】
コントローラ／プロセッサ２４０および２８０は、それぞれ基地局１１０およびＵＥ１２０における動作を指示し得る。基地局１１０におけるプロセッサ２４０および／または他のプロセッサおよびモジュールは、本明細書で説明するように、様々なランダムアクセスプロシージャのためにＵＥを構成するための動作を実行または指示し、そのようなプロシージャ中に１つまたは複数の属性を識別し得る。たとえば、ＵＥ１２０におけるプロセッサ２８０および／または他のプロセッサおよびモジュールは、本明細書で説明する様々なランダムアクセスプロシージャのための動作を実行または指示し得る。メモリ２４２および２８２は、それぞれ基地局１１０およびＵＥ１２０のためのデータおよびプログラムコードを記憶し得る。スケジューラ２４４は、ダウンリンクおよび／またはアップリンク上でのデータ送信のためにＵＥをスケジュールし得る。
【００２７】
図３に、ＬＴＥにおけるＦＤＤのための例示的なフレーム構造３００を示す。ダウンリンクおよびアップリンクの各々の送信タイムラインは無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図３に示すように）ノーマルサイクリックプレフィックスの場合は７つのシンボル期間、または拡張サイクリックプレフィックスの場合は６つのシンボル期間を含み得る。各サブフレーム中の２Ｌ個のシンボル期間には０〜２Ｌ−１のインデックスが割り当てられ得る。
【００２８】
ＬＴＥでは、ｅＮＢは、ｅＮＢによってサポートされるセルごとにシステム帯域幅の中心１．０８ＭＨｚにおいてダウンリンク上で１次同期信号（ＰＳＳ：primary synchronization signal）と２次同期信号（ＳＳＳ：secondary synchronization signal）とを送信し得る。ＰＳＳおよびＳＳＳは、図３に示すように、それぞれ、ノーマルサイクリックプレフィックスをもつ各無線フレームのサブフレーム０および５中のシンボル期間６および５中で送信され得る。ＰＳＳおよびＳＳＳは、セル探索および収集のためにＵＥによって使用され得る。ｅＮＢは、ｅＮＢによってサポートされるセルごとにシステム帯域幅にわたってセル固有基準信号（ＣＲＳ：cell-specific reference signal）を送信し得る。ＣＲＳは、各サブフレームのいくつかのシンボル期間中に送信され得、チャネル推定、チャネル品質測定、および／または他の機能を実行するためにＵＥによって使用され得る。ｅＮＢはまた、いくつかの無線フレームのスロット１中のシンボル期間０〜３中で物理ブロードキャストチャネル（ＰＢＣＨ：Physical Broadcast Channel）を送信し得る。ＰＢＣＨは何らかのシステム情報を搬送し得る。ｅＮＢは、いくつかのサブフレームにおいて物理ダウンリンク共有チャネル（ＰＤＳＣＨ：Physical Downlink Shared Channel）上でシステム情報ブロック（ＳＩＢ：system information block）などの他のシステム情報を送信し得る。ｅＮＢは、サブフレームの第１のＢ個のシンボル時間内で、物理ダウンリンク制御チャネル（ＰＤＣＣＨ：Physical Downlink Control Channel）上で制御情報／データを送信することができ、ここでＢは、各サブフレームについて構成可能なものとすることができる。ｅＮＢは、各サブフレームの残りのシンボル時間内においてＰＤＳＣＨ上でトラヒックデータおよび／または他のデータを送信することができる。
【００２９】
ワイヤレスネットワークは、ダウンリンクおよびアップリンク上でのデータ送信のためにハイブリッド自動再送要求（ＨＡＲＱ：hybrid automatic retransmission）をサポートし得る。ＨＡＲＱの場合、送信機（たとえば、ｅＮＢ）は、パケットが受信機（たとえば、ＵＥ）によって正しく復号されるまで、または何らかの他の終了条件に遭遇するまで、パケットの１つまたは複数の送信を送り得る。同期ＨＡＲＱの場合、パケットのすべての送信は、単一のインターレースのサブフレーム中で送られ得る。非同期ＨＡＲＱの場合、パケットの各送信は、任意のサブフレーム中で送られ得る。
【００３０】
ＨＡＲＱ中断およびＮＡＣＫ−ＡＣＫ変換中のＨＡＲＱ復号のための電力消費量の低減
上記のように、ＵＥが肯定応答チャネル（たとえば、物理ハイブリッドＡＲＱインジケータチャネル（ＰＨＩＣＨ：Physical Hybrid ARQ Indicator CHannel）、または物理ダウンリンク制御チャネル（ＰＤＣＣＨ：Physical Downlink Control CHannel）を復号し続けることが予想され得るシナリオでは、ＵＥがアップリンク送信のためのＡＣＫを受信した後でも、継続的復号は電力消費量の増加をもたらし得る。
【００３１】
ただし、肯定応答チャネルの継続的復号がない場合、（中断ＡＣＫの後に送られる）後続のＮＡＣＫが検出されないことになり、したがって、再送信がないことになり、その結果、パケットドロップが生じることになる。さらに、場合によっては、送信されたＮＡＣＫは、ＡＣＫとして間違って解釈され得る（本明細書ではＮＡＣＫ−ＡＣＫ変換と呼ぶ）。肯定応答チャネルの継続的復号は、（ＡＣＫに変換されない）後続のＮＡＣＫの復号および最終的な再送信を可能し、パケットドロップを回避し得る。
【００３２】
ただし、本開示の態様は、継続的ＡＣＫチャネル復号の利益を可能にし得るが、電力消費量の低減を可能にする形でそれを可能にし得る。以下でより詳細に説明するように、いくつかの態様によれば、ＵＥは、１つまたは複数のＡＣＫチャネル送信時間間隔（ＴＴＩ）を無視することによって、低電力状態により長くとどまることが可能であり得る。
【００３３】
図４に、肯定応答チャネルの継続的復号のためのサブフレームの例示的なタイムライン４００を示す。例示的なシナリオは、データが、ボイスオーバーＩＰ（ＶｏＩＰ）で行われる、２０ｍｓ周期（２０×１ｍｓサブフレーム）などの比較的低いデューティサイクルで送信されると仮定する。図示のように、間欠受信（ＤＲＸ：Discontinuous Reception）サイクル中に、ＵＥは、電力消費量を低減するために、それの受信機を周期的にオフに切り替え得る。ＤＲＸサイクルはＬＴＥダウンリンク中で構成され得、したがって、ＵＥは、いくつかのサブフレームにおいて物理ダウンリンク制御チャネル（ＰＤＣＣＨ）送信を復号するか、または物理ダウンリンク共有チャネル（ＰＤＳＣＨ）送信を受信する必要はない。
【００３４】
この例では、ＵＥは、４０２において、起動して、ＰＵＳＣＨ上での前のアップリンク送信の正常な受信を示す肯定応答（ＡＣＫ）を復号する。物理ハイブリッドＡＲＱインジケータチャネル（ＰＨＩＣＨ）中で送られ得るＡＣＫを受信した後に、ＵＥは、それの受信機を再び電源切断し得る。しかしながら、上記のように、ＵＥは、４０４において、再び起動して、（たとえば、ＰＤＣＣＨ中のアップリンク許可メッセージのための）肯定応答チャネルをリッスン（復号）する。したがって、この例では、ＵＥは、ＡＣＫについて検査するために８ｍｓごとに起動し、したがって、７ｍｓ（ＡＣＫを受信することと、後続のＡＣＫについて検査するためにＰＤＣＣＨを復号するために起動することとの間の期間）の間、低電力状態にあるように制限される。
【００３５】
肯定応答チャネルのそのような継続的復号は、ＵＥが低電力状態にとどまる時間量を制限し、不要な電力消費につながり得る。しかしながら、本明細書で提示する技法は、アップリンク送信のためのＡＣＫを受信した後に、１つまたは複数のＴＴＩの間、肯定応答チャネルを復号することを試みない（本質的に「無視する」）ことによって、ＵＥがより長く低電力状態にとどまることを可能にし得る。
【００３６】
図５に、アップリンク送信のためのＡＣＫを受信した後に、１つまたは複数のＴＴＩの間、ＵＥが肯定応答チャネルを復号しようと試みない例示的なシナリオを示す。図示のように、５０２において第１のＡＣＫを受信した後に、ＵＥは、５０４において後続のＡＣＫ／ＮＡＫを本質的に無視し、したがって、より長く低電力状態にとどまり得、これは電力消費量を低減するのに役立ち得る。
【００３７】
上記のように、ＵＥがすべての後続のＡＣＫを無視した場合、たとえば、５０２における第１のＡＣＫが実際にはＮＡＣＫ−ＡＣＫ変換であった場合、対応するパケットがドロップされ得る。ＶｏＩＰなどのたいていの適用例では、ＮＡＣＫ−ＡＣＫ変換確率が比較的低いことがあるので、これは許容され得る。同様に、（ＵＬデータが正常に受信されなかったにもかかわらず、再送信を中断するために基地局がＡＣＫを送る）中断ＡＣＫによっても、パケットがドロップされることになり得る。
【００３８】
高負荷シナリオでは、中断ＡＣＫが比較的頻繁に使用され得、ＵＥがすべての後続のＴＴＩにおいてＡＣＫチャネルを無視する場合、生じるパケットロスは問題となり得る。しかしながら、いくつかの態様によれば、ＵＥは、所定の時間量（または所定の数のＴＴＩ）の間だけＡＣＫ／ＮＡＣＫを無視するが、後の時点で起動し、ＡＣＫチャネルを再び復号し得る。ＡＣＫが中断ＡＣＫであった場合、ｅＮＢは、その時間までにＮＡＣＫをスケジュールした可能性があり、その場合、ＵＥはそれを検出することになる。
【００３９】
図６に、６０２において、アップリンク送信のためのＡＣＫを受信した後に、ＵＥが１つまたは複数のＴＴＩの間、肯定応答チャネルを復号しようと試みない例示的なシナリオを示す。図示のように、ＵＥは、６０４において、１つまたは複数の後続のＡＣＫ／ＮＡＫを本質的に無視するが、６０６において、後続のＡＣＫ／ＮＡＣＫについて検査するために復号するために後で起動し得る。
【００４０】
いくつかの態様によれば、この後続の復号（ＡＣＫ検査）のタイミングは後続のＰＵＳＣＨ送信と整合され得る。言い換えれば、ＵＥは、ＰＵＳＣＨ送信のためにいずれにせよ電源投入するようにスケジュールされ得るので、（たとえば、２０ｍｓ周期に対応する）この追加の検査のために追加の電力が使用されないことがある。したがって、ＵＥは、そのような周期の大部分（たとえば、１５ｍｓ）の間、低電力状態にとどまり得る。
【００４１】
いくつかの態様によれば、ＵＥは、中断ＡＣＫを常に無視することを決定し得る（またはそのように構成され得る）。代替として、ＵＥは、ネットワークが中断ＡＣＫを使用することになるのかどうかを何らかのタイプの論理が決定するハイブリッド方式を実装し得る。たとえば、この決定は、１つまたは複数のネットワークパラメータ、または（中断ＡＣＫの可能性が高い）ネットワークローディングを推定することに基づき得るか、あるいは（たとえば、ＡＣＫに続いてＮＡＣＫを検出することによって暗黙的に決定される）中断ＡＣＫの使用について時々検査するアルゴリズムに基づいて決定され得る。
【００４２】
代替または追加として、ネットワークは、中断ＡＣＫの使用に関してＵＥに明示的にまたは暗黙的に通知し得る。この場合、中断ＡＣＫが使用される可能性がないとＵＥが決定した場合、ＵＥは、１つまたは複数の後続のＡＣＫ／ＮＡＣＫを無視するように構成され得る。
【００４３】
ＵＥが後続のＡＣＫを無視するか否かはまた、データ送信のタイプに依存し得る。たとえば、ＶｏＩＰなど、比較的低いデータレートのセッションの場合、ＡＣＫを無視することは、許容できる量のパケットロスでもって、かなりの電力節約をもたらし得る。さらに、ある時間期間の後に最終的に復号することによって、図６を参照しながら上記で説明したように、ほとんどパフォーマンス不利益なしに中断ＡＣＫおよび／またはＮＡＣＫ−ＡＣＫ変換が処理され得る。いくつかの態様によれば、ＵＥは、ＨＡＲＱ送信が正常に受信されなかった場合でも、第１のメッセージが、ＨＡＲＱ送信の再送信を中断するために送信された中断肯定応答メッセージに対応するという指示を受信し得る。場合によっては、低電力状態が維持される持続時間は、ＨＡＲＱ送信が再送信されるべきでないことを示すメッセージが、正常に受信されたＨＡＲＱ送信にどのくらいの頻度で対応しないかに依存し得る。
【００４４】
図７に、上記で説明した動作を実行することが可能な、サービングノードＢ７１０とユーザ機器（ＵＥ）７２０とをもつ例示的なシステム７００を示す。ＵＥ７２０は、データ処理モジュール７２４を介してアップリンク送信を生成し、送信機モジュール７２２を介してＰＵＳＣＨ上でアップリンク送信を送り得る。
【００４５】
図示のように、サービングノードＢ７１０は、受信機モジュール７１８を介してそのような送信を受信し得る。ノードＢ７１０はまた、ＡＣＫ／ＮＡＣＫ指示を生成するためのフィードバック生成モジュール７１４を含み得る。上記のように、ＡＣＫ／ＮＡＣＫは、送信機モジュール７１２を介してＰＨＩＣＨまたはＰＤＣＣＨ上で送信され得る。ＵＥ７２０は、受信機モジュール７２６を介してＡＣＫ／ＮＡＣＫを受信し得、データ処理モジュール７２４は、ＡＣＫが受信されたかどうかを決定し得、ＵＥ７２０はそれに応じて行動し得る（たとえば、上記で説明したように１つまたは複数の後続のＡＣＫ／ＮＡＣＫ  ＴＴＩを無視し得る）。
【００４６】
図８に、本開示のいくつかの態様による、ＨＡＲＱ処理を実行するための例示的な動作８００を示す。動作８００は、たとえば、ＵＥによって実行され得る。
【００４７】
８０２において、ＵＥは、物理アップリンク共有チャネル（ＰＵＳＣＨ）上で基地局にハイブリッド自動再送要求（ＨＡＲＱ）送信を送る。８０４において、ＵＥは、ＨＡＲＱ送信が再送信されるべきでないことを示す第１のメッセージを受信する。
【００４８】
８０６において、ＵＥは、ＵＥがメッセージを復号しようと試みない低電力状態に入る。８０８において、ＵＥは、ＨＡＲＱ送信が再送信されるべきであるか否かを示す少なくとも第２のメッセージのスケジュールされた送信時間の間、低電力状態を維持する。
【００４９】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００５０】
さらに、本明細書の開示に関連して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈すべきではない。
【００５１】
本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００５２】
本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末内に常駐し得る。代替として、プロセッサおよび記憶媒体は、ユーザ端末中に個別構成要素として常駐し得る。
【００５３】
１つまたは複数の例示的な設計では、説明した機能は、ハードウェア、ソフトウェア、ファームウェア、またはそれらの組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）（登録商標）およびブルーレイ（登録商標）ディスク（disc）（登録商標）を含み、ディスク（disk）は、通常、データを磁気的に再生し、ディスク（disc）は、データをレーザで光学的に再生する。上記の組合せもコンピュータ可読媒体の範囲内に含めるべきである。
【００５４】
本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、出願当初の特許請求の範囲に記載された発明を付記する。
［Ｃ１］
ユーザ機器（ＵＥ）によるワイヤレス通信のための方法であって、
物理アップリンク共有チャネル（ＰＵＳＣＨ）上で基地局にハイブリッド自動再送要求（ＨＡＲＱ）送信を送ることと、
前記ＨＡＲＱ送信が再送信されるべきでないことを示す第１のメッセージを受信することと、
前記ＵＥがメッセージを復号しようと試みない低電力状態に入ることと、
前記ＨＡＲＱ送信が再送信されるべきであるか否かを示す少なくとも第２のメッセージのスケジュールされた送信時間の間、前記低電力状態を維持することとを備える、方法。
［Ｃ２］
前記ＨＡＲＱ送信が再送信されるべきであるか否かを示す第３のメッセージを復号するために前記低電力状態を出ることをさらに備える、Ｃ１に記載の方法。
［Ｃ３］
第３のメッセージを復号するために前記低電力状態を出ることが、前記ＰＵＳＣＨ上での前記基地局への前記ＵＥによる次の送信中に第３のメッセージを復号するために前記低電力状態を出ることを含む、Ｃ２に記載の方法。
［Ｃ４］
出ることより前に、前記ＨＡＲＱ送信が再送信されるべきであるか否かを示す整数ｎ個のメッセージを復号しようと試みることなしに、前記低電力状態が維持される、Ｃ２に記載の方法。
［Ｃ５］
前記整数ｎの指示を受信することをさらに備える、Ｃ４に記載の方法。
［Ｃ６］
前記整数ｎが、前記ＨＡＲＱ送信中で送信されるデータのタイプに依存する、Ｃ４に記載の方法。
［Ｃ７］
前記ＨＡＲＱ送信が正常に受信されなかった場合でも、前記第１のメッセージが、前記ＨＡＲＱ送信の再送信を中断するために送信された中断肯定応答メッセージに対応するという指示を受信することをさらに備える、Ｃ１に記載の方法。
［Ｃ８］
前記低電力状態が維持される持続時間は、ＨＡＲＱ送信が再送信されるべきでないことを示すメッセージが正常に受信されたＨＡＲＱ送信にどのくらいの頻度で対応しないかに依存する、Ｃ１に記載の方法。
［Ｃ９］
ＨＡＲＱ送信が再送信されるべきでないことを示すメッセージの後に、前記ＨＡＲＱ送信が再送信されるべきであることを示す後続のメッセージが続く場合、そのようなメッセージが、正常に受信されたＨＡＲＱ送信に対応しないと決定することをさらに備える、Ｃ８に記載の方法。
［Ｃ１０］
前記ＨＡＲＱ送信が再送信されるべきであるか否かを示す少なくとも第２のメッセージのスケジュールされた送信時間の間、前記低電力状態を維持することが、１５ｍｓの間前記低電力状態を維持することを含む、Ｃ１に記載の方法。
［Ｃ１１］
前記送信が低デューティサイクルトラフィックアプリケーションを含む、Ｃ１に記載の方法。
［Ｃ１２］
前記ＨＡＲＱ送信が再送信されるべきであるか否かを示す少なくとも第２のメッセージのスケジュールされた送信時間の間、前記低電力状態を維持することが、前記ＨＡＲＱ送信が再送信されるべきであるか否かを示すメッセージのすべてのスケジュールされた送信時間の間、前記低電力状態を維持することを含む、Ｃ１に記載の方法。
［Ｃ１３］
ユーザ機器（ＵＥ）によるワイヤレス通信のための装置であって、
物理アップリンク共有チャネル（ＰＵＳＣＨ）上で基地局にハイブリッド自動再送要求（ＨＡＲＱ）送信を送るための手段と、
前記ＨＡＲＱ送信が再送信されるべきでないことを示す第１のメッセージを受信するための手段と、
前記ＵＥがメッセージを復号しようと試みない低電力状態に入るための手段と、
前記ＨＡＲＱ送信が再送信されるべきであるか否かを示す少なくとも第２のメッセージのスケジュールされた送信時間の間、前記低電力状態を維持するための手段とを備える、装置。
［Ｃ１４］
前記ＨＡＲＱ送信が再送信されるべきであるか否かを示す第３のメッセージを復号するために前記低電力状態を出るための手段をさらに備える、Ｃ１３に記載の装置。
［Ｃ１５］
第３のメッセージを復号するために前記低電力状態を出るための前記手段が、前記ＰＵＳＣＨ上での前記基地局への前記ＵＥによる次の送信中に第３のメッセージを復号するために前記低電力状態を出るための手段を含む、Ｃ１４に記載の装置。
［Ｃ１６］
出ることより前に、前記ＨＡＲＱ送信が再送信されるべきであるか否かを示す整数ｎ個のメッセージを復号しようと試みることなしに、前記低電力状態が維持される、Ｃ１４に記載の方法。
［Ｃ１７］
前記整数ｎの指示を受信するための手段をさらに備える、Ｃ１６に記載の装置。
［Ｃ１８］
前記整数ｎが、前記ＨＡＲＱ送信中で送信されるデータのタイプに依存する、Ｃ１６に記載の装置。
［Ｃ１９］
前記ＨＡＲＱ送信が正常に受信されなかった場合でも、前記第１のメッセージが、前記ＨＡＲＱ送信の再送信を中断するために送信された中断肯定応答メッセージに対応するという指示を受信するための手段をさらに備える、Ｃ１３に記載の装置。
［Ｃ２０］
前記低電力状態が維持される持続時間は、ＨＡＲＱ送信が再送信されるべきでないことを示すメッセージが、正常に受信されたＨＡＲＱ送信にどのくらいの頻度で対応しないかに依存する、Ｃ１３に記載の装置。
［Ｃ２１］
ＨＡＲＱ送信が再送信されるべきでないことを示すメッセージの後に、前記ＨＡＲＱ送信が再送信されるべきであることを示す後続のメッセージが続く場合、そのようなメッセージが、正常に受信されたＨＡＲＱ送信に対応しないと決定するための手段をさらに備える、Ｃ２０に記載の装置。
［Ｃ２２］
前記ＨＡＲＱ送信が再送信されるべきであるか否かを示す少なくとも第２のメッセージのスケジュールされた送信時間の間、前記低電力状態を維持するための前記手段が、１５ｍｓの間前記低電力状態を維持するための手段を含む、Ｃ１３に記載の装置。
［Ｃ２３］
前記送信が低デューティサイクルトラフィックアプリケーションを含む、Ｃ１３に記載の装置。
［Ｃ２４］
前記ＨＡＲＱ送信が再送信されるべきであるか否かを示す少なくとも第２のメッセージのスケジュールされた送信時間の間、前記低電力状態を維持するための前記手段が、前記ＨＡＲＱ送信が再送信されるべきであるか否かを示すメッセージのすべてのスケジュールされた送信時間の間、前記低電力状態を維持するための手段を含む、Ｃ１３に記載の装置。
［Ｃ２５］
ユーザ機器（ＵＥ）によるワイヤレス通信のための装置であって、
物理アップリンク共有チャネル（ＰＵＳＣＨ）上で基地局にハイブリッド自動再送要求（ＨＡＲＱ）送信を送ることと、前記ＨＡＲＱ送信が再送信されるべきでないことを示す第１のメッセージを受信することと、前記ＵＥがメッセージを復号しようと試みない低電力状態に入ることと、前記ＨＡＲＱ送信が再送信されるべきであるか否かを示す少なくとも第２のメッセージのスケジュールされた送信時間の間、前記低電力状態を維持することとを行うように構成された少なくとも１つのプロセッサと、
前記少なくとも１つのプロセッサに結合されたメモリとを備える、装置。
［Ｃ２６］
前記少なくとも１つのプロセッサが、
出ることより前に、前記ＨＡＲＱ送信が再送信されるべきであるか否かを示す整数ｎ個のメッセージを復号しようと試みることなしに、前記低電力状態を維持するようにさらに構成された、Ｃ２５に記載の装置。
［Ｃ２７］
前記少なくとも１つのプロセッサは、前記ＨＡＲＱ送信が再送信されるべきであるか否かを示すメッセージのすべてのスケジュールされた送信時間の間、前記低電力状態を維持するようにさらに構成された、Ｃ２５に記載の装置。
［Ｃ２８］
物理アップリンク共有チャネル（ＰＵＳＣＨ）上で基地局にハイブリッド自動再送要求（ＨＡＲＱ）送信を送ることと、
前記ＨＡＲＱ送信が再送信されるべきでないことを示す第１のメッセージを受信することと、
前記ＵＥがメッセージを復号しようと試みない低電力状態に入ることと、
前記ＨＡＲＱ送信が再送信されるべきであるか否かを示す少なくとも第２のメッセージのスケジュールされた送信時間の間、前記低電力状態を維持することとを行うための、１つまたは複数のプロセッサによって実行可能な命令を記憶したコンピュータ可読媒体を備えるコンピュータプログラム製品。
［Ｃ２９］
前記ＨＡＲＱ送信が再送信されるべきであるか否かを示す整数ｎ個のメッセージを復号しようと試みることなしに、出ることより前に、前記低電力状態を維持するための、１つまたは複数のプロセッサによって実行可能な命令をさらに備える、Ｃ２８に記載のコンピュータプログラム製品。
［Ｃ３０］
前記ＨＡＲＱ送信が再送信されるべきであるか否かを示すメッセージのすべてのスケジュールされた送信時間の間、前記低電力状態を維持するための、１つまたは複数のプロセッサによって実行可能な命令をさらに備える、Ｃ２８に記載のコンピュータプログラム製品。
【図１】
0005823618.tif 000002
【図２】
0005823618.tif 000003
【図３】
0005823618.tif 000004
【図４】
0005823618.tif 000005
【図５】
0005823618.tif 000006
【図６】
0005823618.tif 000007
【図７】
0005823618.tif 000008
【図８】
0005823618.tif 000009